(57)【要約】【課題】提灯のシェード部の外観デザインにモダンを施し、提灯の土台デザインに斬新な形状デザインを施し、完成形の提灯型電気スタンドはその組立前の状態における合成合板部材２つとコード付きクリップ型ソケット嵌め込み用板１枚、折りたたまれた提灯はかさばらず梱包容積が極限まで小さくて済む提灯型電気スタンドを提供する。【解決手段】山型に曲げられた合板脚部材とＵ字型に曲げられた合板底部材を嵌め合わせ、その嵌合部をカシメビスで固定し合板脚部材の内側に電気を灯すためのコード付きクリップ型ソケット嵌め込み用板を差し込んで内側から立脚を強化します。最後に外側から提灯をかぶせる事によりコード付きクリップ型ソケット嵌め込み用板が溝に強く嵌りソケット部が安定することにより提灯の灯りが安定します。【選択図】図１
2013004512.tif 000002
【特許請求の範囲】
【請求項１】
略Ｕ字状に曲げられており、開口部に向けて、板の間げきが徐々に広くなる部分を有する合板立脚部材最下部の溝と、Ｕ字型に曲げられた合板底部材内側の溝を嵌め合わせ、その嵌合部をカシメビスで固定し，コード付きクリップ型ソケット嵌め込み用板を前記合板立脚部材胴体部の内側に入れた２ヶ所の溝に横から差し込み、前記コード付きクリップ型ソケット嵌め込み用板に空けられた円い穴に電球をねじ込んだクリップ型ソケットのクリップを開いて板の下から嵌め込んでクリップを閉じ、立脚した前記合板立脚部材胴体部外側の溝に、上下に伸縮可能なシェードの上部開口部と下部開口部の両側を嵌め込んでなることを特徴とする提灯型電気スタンド。
【発明の詳細な説明】
【技術分野】
【０００１】本発明は提灯（上下に伸縮可能な和紙で出来たシェード）と、それを固定する成型合板部材を一体化させて立脚させた自立型の提灯型電気スタンドに関わる。
【背景技術】
【０００２】従来提灯は葬祭やお盆等で灯明を灯すために用いられていたが、昨今は和風ランプシェードとしてモダンデザインが施されインテリア照明としても認知されつつある。
【先行技術文献】
【特許文献】
【０００３】
【特許文献１】特開２００４−２９６１６８号公報
【発明の概要】
【発明が解決しようとする課題】
【０００４】インテリア照明として認知されてる提灯デザインの進歩は他のデザイン家具に比べて変化・発展に乏しく現在に至ってる。提灯をのせる土台についても同様である。提灯自体に和の雰囲気が強すぎるので、和とモダンの兼ね合いが難しいと思われる。本発明は上記の問題点を解決しようとするもので、火袋部の外観デザインにモダンを施し、提灯の土台デザインに斬新な形状デザインを施し、完成形の提灯型電気スタンドはその組み立て前の状態における成型合板部材２つとコード付きクリップ型ソケット嵌め込み用板１枚、折り畳まれた提灯はかさばらず梱包容積が極限まで小さくて済むことにある。
【課題を解決するための手段】
【０００５】上記課題を解決する為に、提灯の土台である行灯部を成型合板曲げ加工に絞った。
上から下へとゆるやかな山型に曲げられた合板立脚部材の最下部の外側の溝と、Ｕ字型に曲げられた合板底部材の内側の溝を嵌め合わせ、その嵌合部をカシメビスで固定します。更にコード付きクリップ型ソケット嵌め込み用板を合板立脚部材の内側に入れた２ヶ所の溝に横から差し込むことにより、合板立脚部材に対し内側と外側から圧力が加わることにより立脚が安定します。コード付きクリップ型ソケット嵌め込み用板に空けられた円い穴に電球をねじ込んだクリップ付きソケットのクリップを開いて板の下から嵌め込んでクリップを閉じれば、電気スタンドに電球が灯る状態になります。立脚した合板立脚部材の胴体部外側の溝に、上下に伸縮可能なシェード（提灯）の上部開口部と下部開口部の両側を押えながら上からそれぞれの溝に嵌め込んで提灯型電気スタンドを完成させます。
【発明の効果】
【０００６】以上の説明のように発明すれば梱包容積が小さくて済み、梱包や運搬の費用も軽減できる。材料も少なく組み立てもシンプルで簡単である。ネジも接着剤も使用しないで合板の曲げ加工とその組み合わせだけで２つの合成合板曲げ部材を立体化させて提灯型電気スタンドを完成させ、提灯の真下の立脚部を大胆に曲げることにより他との差別化にもなり、和のテイストに加えモダンでユニークな印象を得られる。
【図面の簡単な説明】
【０００７】
【図１】この発明の実施の形態の大１例を示す提灯型電気スタンドの斜視図である。
【図２】図１の提灯型電気スタンドの組立前の構成部材の斜視図である。
【図３】図１の提灯型電気スタンドの正面図及び縦断面図である。
【図４】図１の提灯型電気スタンドの側面図である。
【発明を実施するための形態】
【０００８】以下図１〜図４でこの発明の形態を説明する。図中、１は提灯型電気スタンドで、スタンド本体２にシェード３を保持させて成る。シェード３は提灯の火袋に似たいも虫状の外観を有し、螺旋状に巻き回したワイヤーひご４の両側をそれぞれ上部開口部８、下部開口部９としこの骨組体の外側に和紙７を貼付けて、上部開口部８から下部開口部９に至る胴部を形成した、上下に伸縮可能な構造を有する。
次にスタンド本体２の構成部材について説明すると、合板立脚部材１０は合成合板を折曲成型して、同じくＵ字型に折曲成型した合板底部材１１の中に嵌め合わせます。
合板立脚部材１０が垂直に立脚するようにお互いに切り込みを入れてあるヶ所を嵌め合わせてカシメビスで止めます。そして合板立脚部材１０の胴体部内側の溝２２、２３にコード付きクリップ型ソケット嵌め用板１２を横から差し込み、丸く空いた穴１２−Ａに下から電球がねじ込まれたコード付きクリップ型ソケット部のクリップ部１５を閉じて押し入れ丸い穴の中で開いて固定します。そしてシェードの上部開口部８を合板立脚部材１０の上溝１３に、シェード下部開口部９を合板立脚部材１０の下溝１４に嵌め合わせて提灯型電気スタンドは完成します。
【０００９】垂直立脚を可能にする為の工夫は、合板立脚部材１０と合板底部材１１とコード付きクリップ型ソケット嵌め込み用板１２の嵌め合わせにあります。  合板底部材１１の差し込み部１７に対して合板立脚部材１０の差し込み部１６を差し込むとき、差し込み部１６の穴上上部１６−Ａ穴横左部１６−Ｂ穴横右部１６−Ｃが差し込み部１７の穴上上部１７−Ａ穴横左部１７−Ｂ穴横右部１７−Ｃと３点で嵌合し合板立脚部材１０の差し込み部１８の穴上上部１８−Ａ穴横左部１８−Ｂ穴横右部１８−Ｃが合板底部材１１の差し込み部１９の穴上上部１９−Ａ穴横左部１９−Ｂ穴横右部１９−Ｃと３点で嵌合して合わせて６点で支える事によって垂直を保ちます。合板底部材１１のＵ字曲げの内径に対し合板立脚部材１０の差し込み部１６上の面、合板立脚部材１０の差し込み部１８上の面の角度をそれぞれ５ミリ外向きにすることで合板立脚部材１０と合板底部材１１がお互い押し合って歯止めの効果をします。
【００１０】この段階で合板立脚部材１０の差し込み部１６の穴１６−Ｄと合板底部材１１の差し込み部１７の穴１７−Ｄは並列に重なり合ってます。その２つの連なる穴にカシメビス左凸部２０−Ａを外側にして、カシメビス左凹部２０−Ｂと嵌め合わせパチンと音がするまで嵌合させます。同様に重なり合った合板立脚部材１０の差し込み部１８の穴１８−Ｄと合板底部材１１の差し込み部１９の穴１９−Ｄにカシメビス右凸部２１−Ａを外側にして、カシメビス右凹部２１−Ｂとパチンと嵌め合わせます。木ネジ程の強度はありませんが、行灯部を固定するには十分な止めです。カシメビスの色を水色にすることで木とのモダンなハーモニーを醸し出す効果を生みます。合板立脚部材１０の最上部は持ち運び、設置の為の取手にもなります。立脚した脚部材を更に安定させる為に合板立脚部材１０の内側に入れられた溝２２、２３に対してコード付きクリップ型ソケット嵌め込み用板１２を差し込みます。これで合板立脚部材１０と合板底部材１１の嵌合部に対し更に内側から外に力が加わることによって、より安定した立脚が可能になり、更に提灯のシェードの上部開口部８を合板立脚部材１０の上溝１３に、シェード下部開口部９を合板立脚部材１０の下溝１４に嵌め合わせることによりコード付きクリップ型ソケット嵌め込み用板が合板立脚部材１０の内側に入れられた溝２２、２３に深く嵌り、ソケット部が安定することで提灯の灯りが安定します。
【符号の説明】
【００１１】１…提灯型電気スタンド、２…スタンド本体、３…シェード、４…ワイヤーひご、７…和紙、８…上部開口部、９…下部開口部、１０…合板立脚部材、１１…合板底部材、１２…コード付きクリップ型ソケット嵌め込み用板、１３…合板立脚部材の上溝、１４…合板立脚部材の下溝、１５…クリップ型ソケット部のクリップ部、１６…合板立脚部材の左差し込み部、１６−Ａ…１６の穴上上部、１６−Ｂ…１６の穴横左部、１６−Ｃ…１６の穴横右部、１６−Ｄ…１６の穴、１７…合板底部材の左差し込み部、１７−Ａ…１７の穴上上部、１７−Ｂ…１７の穴横左部、１７−Ｃ…１７の穴横右部、１７−Ｄ…１７の穴、１８…合板立脚部材の右差し込み部１８−Ａ…１８の穴上上部、１８−Ｂ…１８の穴横右部、１８−Ｃ…１８の穴横左部１８−Ｄ…１８の穴、１９…合板底部材の右差し込み部、１９−Ａ…１９の穴横上部、１９−Ｂ…１９の穴横左部、１９−Ｃ…１９の穴横右部、１９−Ｄ…１９の穴２０−Ａ…カシメビス左凸部、２０−Ｂ…カシメビス左凹部、２１−Ａ…カシメビス右凸部、２１−Ｂ…カシメビス右凹部、２２…合板立脚部材の胴体部内側溝左部、２３…合板立脚部材の胴体部内側溝右部、
【図１】
2013004512.tif 000003
【図２】
2013004512.tif 000004
【図３】
2013004512.tif 000005
【図４】
2013004512.tif 000006